(57)【要約】【課題】南極等の生産地から凍結ブロックとして搬入されるため、加工が困難であったオキアミ凍結ブロックの集魚性等の品質を向上させたものを提供する。集魚性以外の餌としての特性を種々に調節することを可能にする。【解決手段】オキアミ凍結ブロックの生産地において、各種釣り餌用添加物を混合してから凍結する。生オキアミにオキアミミール、オキアミ乾燥粉粒体、またはオキアミ液を混合してから凍結し、集魚性の向上したオキアミ凍結ブロックを得る。【選択図】  なし。【特許請求の範囲】
【請求項１】
オキアミと釣り餌用組成物を混合して凍結したオキアミ凍結ブロック。
【請求項２】
釣り餌用組成物が集魚作用を有する組成物である請求項１のオキアミ凍結ブロック。
【請求項３】
釣り餌用組成物がオキアミミール、オキアミ乾燥粉粒体、又はオキアミ液のいずれか１種以上を含有するものである請求項１のオキアミ凍結ブロック。
【請求項４】
オキアミが生のオキアミである請求項１、２または３のオキアミ凍結ブロック。
【発明の詳細な説明】
【０００１】
【発明の属する技術分野】
本発明は釣り用の餌、特に撒き餌として利用されるオキアミ凍結ブロックに関する。詳細には、生のオキアミと釣り餌用組成物を混合して凍結したオキアミ凍結ブロックである。
【０００２】
【従来の技術】
従来、クロダイ、メジナ等の海水魚を釣る際には、アミエビ、イサザアミ等のオキアミを撒き餌として使用している。このオキアミは、生の新鮮なものを使用する場合もあるが、一般的には非加熱状態のオキアミや、加熱したオキアミを冷凍保存したものが販売されている。通常、オキアミは漁獲後、生のまま冷凍パンにいれて、ブロック状に急速凍結され、ケースにいれて、日本に搬入されている。このブロックを適当なサイズにカットし、釣エサ店の冷凍ショウケースに並べ、釣人はこれを購入して釣場でバケツの中で解凍して、それを撒きながら魚を寄せて釣りをするのである。釣場では、この冷凍オキアミブロックを解凍し、粉末配合釣餌（オキアミミール、澱粉、魚粉、パン粉、酵母、さなぎ、麦、オカラ等）、液体集魚餌と混ぜて使用する場合もある。粉末配合釣り餌、液体集魚餌は集魚性向上、増量、硬さ、拡散性、沈降性の調節などのために使用される。
【０００３】
しかしながら、冷凍オキアミの解凍は、釣りの前日に冷凍オキアミを冷凍庫から取り出して自然解凍により行ったり、釣り当日に湯煎等により強制的に行っていた。そのため、解凍に多くの時間や手間が掛かり、手軽には使用しにくいものであった。更に、解凍に多くの時間が掛かったり、大量の水分が出る事により、オキアミの有効成分の消失や劣化が生じ、集魚効果が低下するものとなっていた。
オキアミミール、オキアミ乾燥粉粒体は、乾燥品であり、集魚効果あるので、養殖配合飼料や粉末釣エサの素材として使用されている。
オキアミを釣り用餌として利用するものには特許文献１〜３などのようなものがある。
【０００４】
【特許文献１】
特開２００１−２０４３３５号
【特許文献２】
特開平１０−３３１０１号
【特許文献２】
特開平１０−１５０９２６号
【０００５】
【発明が解決しようとする課題】
本発明は、従来の冷凍オキアミブロックのよりも、さらに集魚性等の性質が向上された冷凍オキアミブロックを提供することを目的とする。使用時に解凍しただけでそのまま使用できる、集魚性が向上し、物性にも優れた冷凍オキアミブロックを提供するものである。
【０００６】
【課題を解決するための手段】
通常の冷凍オキアミブロックでも十分に魚が集まる。また、オキアミは酵素があり黒変するので解凍して加工撒き餌にするのは技術的にも、コスト的にも難しい。発明者は、オキアミを漁獲する洋上で加工することによりこの問題が解決することに思い至った。釣人はブロックの表面の見栄えや、色に拘るので釣人の要望に答えるべく、オキアミ船では、見栄えの良いオキアミブロックを製造することに注力されてきた。しかし、釣針に付けるものは固体がしっかりしないといけないが、撒き餌は見栄えよりは本来の集魚効果が重要であると考え、本発明を完成させた。
【０００７】
本発明は、オキアミと釣り餌用組成物を混合して凍結したオキアミ凍結ブロックを要旨とする。オキアミは生が好ましく、釣り餌用組成物としては集魚作用を有する組成物が好ましい。
釣り餌用組成物としてオキアミミールまたはオキアミ乾燥粉粒体及びオキアミ液を使用したものが好ましく、その場合、本発明は、オキアミとオキアミミールまたはオキアミ乾燥粉粒体、及びオキアミ液を混合して凍結したオキアミ凍結ブロックを要旨とする。オキアミは生が好ましい。
【０００８】
【発明の実施の形態】
本発明に用いるオキアミとは釣り餌として使用できるオキアミであれば何でも良いが、南極オキアミが好ましい。オキアミは漁獲後速やかに凍結することにより、自己消化、黒変などを防止することができる。
本発明においてオキアミは生でもボイルしたものでも、また、姿のままでも多少潰したものでも使用することができる。
【０００９】
本発明に用いる釣り餌用組成物とは、釣り餌用に配合された粉末飼料、集魚作用を有する各種添加物など、通常、オキアミ等と混合して使用するものであれば何でも使用することができる。粉末飼料の原料は  魚粉、オカラ粉、オキアミミール、パン粉、押し麦、さなぎ粉、酵母等が例示される。液体集魚添加物は、オキアミ液、魚の煮汁液等が例示される。
【００１０】
本発明に用いるオキアミミールとは、オキアミを煮熟して得られる固形成分を乾燥したものである。また、オキアミ乾燥粉粒体とは、オキアミをそのまま全成分を含むように直接乾燥させた粉粒体である。オキアミ液とは、生オキアミを圧搾採取した液体やオキアミを煮熟して得られる液体である。
【００１１】
オキアミと釣り餌用組成物は、単に混合するだけでよく、混合比率は、使用目的によって、オキアミ：釣り餌用組成物の重量比で１００：１〜１：１程度である。集魚作用の強いオキアミミール、オキアミ乾燥粉粒体などはオキアミに対して少量添加で効果がある。一方、増量材として添加する素材は適宜調節して使用する。
【００１２】
【実施例】
以下に本発明の実施例を記載するが、本発明はこれらに何ら限定されるものではない。
【００１３】
実施例１：生オキアミとオキアミミール
南極オキアミをトロール船で漁獲し、ネットコンベアで移送することにより魚体に付着した余分な海水を除去した。これに５〜１０重量％のオキアミミールを混合し、冷凍パンに入れて凍結し、凍結ブロックを得た。
得られたオキアミ凍結ブロックは、オキアミ表面に粉を絡めた状態であった。
【００１４】
実施例２：生オキアミとオキアミ乾燥粉粒体とオキアミ液
南極オキアミをトロール船で漁獲し、ネットコンベアで移送することにより魚体に付着した余分な海水を除去したオキアミに、オキアミ液と乾燥粉粒体を混ぜ５〜２５重量％の混合液を、冷凍パンに入れたオキアミにかけて凍結し、凍結ブロックを得た。得られたオキアミ凍結ブロックは、ブロック表面を覆う状態やブロック内部に沁み込んだ状態となる。解凍後は  全体にオキアミ乾燥粉粒体とオキアミ液が良く馴染んでまき餌として直に使用できる状態となった。
【００１５】
実施例３：ボイルオキアミとオキアミミール
漁獲した南極オキアミをボイルし、これに５〜１０重量％のオキアミミールを混合し、冷凍パンに入れ凍結し、凍結ブロックを得た。
得られたオキアミ凍結ブロックは、ボイルオキアミの周囲にオキアミミールが絡まった状態になり、解凍後は直ぐに撒き餌として使用するに良好な状態であった。
【００１６】
【発明の効果】
従来のオキアミ凍結ブロックより、さらに集魚性を向上させることができる。また、混合する組成物の質、量を調節することで、種々のタイプのオキアミ凍結ブロックを製造することができる。餌用のオキアミは冬場の白いものが好まれているが、ブロックの成分を添加する組成物で調節できるので、オキアミの季節変動による影響を最小限にすることができ、生産の操業がやりやすくなる。